(57)【要約】【課題】本発明は、簡略な構成にて台所での煮炊用ガスエネルギー削減を確実に図ることができ、家庭単位での地球規模の環境改善に貢献し得る煮炊用ガスエネルギー消費節減支援システムを提供する。【解決手段】本発明の煮炊用ガスエネルギー消費節減支援システム１は、台所２に配置され鍋、やかん等の煮炊具５内に入れた飲食材をガス燃焼により煮炊きするガス器具３の上方の床から１５０ｃｍ程度の位置の温度を検出する第１温度センサ６と、台所２の室内に配置した第２温度センサ７と、前記第１、第２温度センサ６、７の検出温度を、前記鍋、やかん等の煮炊具５内に入れた飲食材の弱火から強火の範囲にわたるガス燃焼状態に応じた弱火の状態を基準とする消費エネルギー比によるガスエネルギー節減指標として表示する温度表示手段８と、を有するものである。【選択図】図１
2009036419.tif 000002
【特許請求の範囲】
【請求項１】
台所に配置され煮炊具内に入れた飲食材をガス燃焼により煮炊きするガス器具の上方に配置した第１温度センサと、
台所の室内に配置した第２温度センサと、
前記第１、第２温度センサの検出温度をガスエネルギー節減指標として表示する温度表示手段と、
を有することを特徴とする煮炊用ガスエネルギー消費節減支援システム。
【請求項２】
台所に配置され煮炊具内に入れた飲食材をガス燃焼により煮炊きするガス器具の上方の作業者目線高さ位置の温度を検出する第１温度センサと、
台所の室内に配置した第２温度センサと、
前記第１、第２温度センサの検出温度を、前記飲食材の弱火から強火の範囲にわたるガス燃焼状態に応じたガスエネルギー節減指標として表示する温度表示手段と、
を有することを特徴とする煮炊用ガスエネルギー消費節減支援システム。
【請求項３】
台所に配置され鍋、やかん等の煮炊具内に入れた飲食材をガス燃焼により煮炊きするガス器具の上方の床から１５０ｃｍ程度の位置の温度を検出する第１温度センサと、
台所の室内に配置した第２温度センサと、
前記第１、第２温度センサの検出温度を、前記鍋、やかん等の煮炊具内に入れた飲食材の弱火から強火の範囲にわたるガス燃焼状態に応じた弱火の状態を基準とする消費エネルギー比によるガスエネルギー節減指標として表示する温度表示手段と、
を有することを特徴とする煮炊用ガスエネルギー消費節減支援システム。
【請求項４】
台所に配置され、煮炊具内に入れた飲食材をガス燃焼により煮炊きするガス器具の上部に配置した第１温度センサと、
台所の室内に配置した第２温度センサと、
前記第１、第２温度センサの検出温度をガスエネルギー節減指標として表示する温度表示手段と、前記第１温度センサの検出温度が設定温度以上になったとき火災警報を発する警報発生手段と、を有する温度表示・警報発生装置と、
を含むことを特徴とする警報発生機能付煮炊用ガスエネルギー消費節減支援システム。
【請求項５】
台所に配置され、煮炊具内に入れた飲食材をガス燃焼により煮炊きするガス器具の上方の作業者目線高さ位置の温度を検出する第１温度センサと、
台所の室内に配置した第２温度センサと、
前記第１、第２温度センサの検出温度を、前記飲食材の弱火から強火の範囲にわたるガス燃焼状態に応じたガスエネルギー節減指標として表示する温度表示手段と、前記第１温度センサの検出温度が設定温度以上になったとき火災警報を発する警告表示灯及び又は発音部からなる警報発生手段と、を有する温度表示・警報発生装置と、
を含むことを特徴とする警報発生機能付煮炊用ガスエネルギー消費節減支援システム。
【請求項６】
台所に配置され、鍋、やかん等の煮炊具内に入れた飲食材をガス燃焼により煮炊きするガス器具の上方の床から１５０ｃｍ程度の位置の温度を検出する第１温度センサと、
台所の室内に配置した第２温度センサと、
前記第１、第２温度センサの検出温度を、前記鍋、やかん等の煮炊具内に入れた飲食材の弱火から強火の範囲にわたるガス燃焼状態に応じた弱火の状態を基準とする消費エネルギー比によるガスエネルギー節減指標として表示する温度表示手段と、前記第１温度センサの検出温度が設定温度以上になったとき火災警報を発する警告表示灯及び又は発音部からなる警報発生手段と、を有する温度表示・警報発生装置と、
を含むことを特徴とする警報発生機能付煮炊用ガスエネルギー消費節減支援システム。
【請求項７】
台所に配置され、鍋、やかん等の煮炊具内に入れた飲食材をガス燃焼により煮炊きするガス器具の上方の床から１５０ｃｍ程度の位置の温度を検出する第１温度センサと、
台所の室内に配置した第２温度センサと、
前記第１、第２温度センサの検出温度を、前記鍋、やかん等の煮炊具内に入れた飲食材の弱火から強火の範囲にわたるガス燃焼状態に応じた弱火の状態を基準とする消費エネルギー比によるガスエネルギー節減指標として表示する温度表示手段と、前記第１温度センサの検出温度が設定温度以上になったとき火災警報を発する警告表示灯及び又は発音部からなる警報発生手段と、を有する温度表示・警報発生装置と、
前記煮炊具に対してガス供給するガス配管に設けたガス流路制御弁と、
前記第１温度センサ、第２温度センサの温度及び煮炊用の設定温度に応じて前記ガス流路制御弁を制御しガス流量を調整するとともに、前記温度表示・警報発生装置の動作制御を行う制御手段と、
を含むことを特徴とする警報発生機能付煮炊用ガスエネルギー消費節減支援システム。
【発明の詳細な説明】
【技術分野】
【０００１】
本発明は、煮炊用ガスエネルギー消費節減支援システム及び警報発生機能付煮炊用ガスエネルギー消費節減支援システムに関するものである。
【背景技術】
【０００２】
地球規模の環境改善が不可欠の今日、家庭の一人一人の省エネルギー意識の向上を図ることはかってないほど重要なことである。
【０００３】
一般家庭における台所のガス器具で飲食材を煮炊きをする際、普通、作業する人は材料の選定や調味料での味付けに細心の注意を払うことに気持が一杯で、ガス栓の開き方や火力の強過ぎに気を配る人は少ないと思われる。
【０００４】
特に炊き始め、煮始め時は早く料理を進行させたい思いで鍋の側面にも炎が立ち上がった状態でホッとしているケースを良く見かける。
【０００５】
ところで、鍋ややかんに材料と水を入れてガス器具により煮炊きする場合、お湯が欲しい場合は沸騰するまで、材料を煮込む場合はそれぞれが煮えるまでガスを燃焼させる必要があるが、他方、鍋ややかんの外面については内部のお湯又は煮汁の液面から上に相当する外面を加熱することは無駄であり、その高さ以上に炎が回っていればそれらは無駄な加熱でガスエネルギーの浪費となる。
【０００６】
すなわち、やかん、鍋の底面の範囲に炎があれば、加熱された熱い空気がやかん、鍋の側面に接して上昇する際に、内部の水、煮汁を加熱する能力が十分あるので、炎を鍋やかんの外周側面に立ち上げることはガスエネルギーの無駄に直結する。
【０００７】
また、炎を鍋やかんの外周側面に立ち上げることは、ガス器具周辺部の壁や天井部分をも加熱し火災を招来する要因ともなる。
【０００８】
特許文献１には、ガスコンロ使用時の火災事故を防止するために、ガスコンロに炎感知センサを、その付近に人体感知センサを設置し、両センサによりガスコンロの炎と作業者の存在の有無を監視し、一定の場合には警報を発するように構成した警報装置付きキッチンタイマーが提案されている。
【０００９】
この特許文献１の場合、火災事故の発生防止を目的とするものであり、ガスエネルギー消費節減を図ることに着目したものではない。
【特許文献１】特開２００１−１３４８６７号公報
【発明の開示】
【発明が解決しようとする課題】
【００１０】
本発明が解決しようとする問題点は、簡略な構成にて台所での煮炊用ガスエネルギー削減を確実に図ることができ、家庭単位での地球規模の環境改善に貢献し得る煮炊用ガスエネルギー消費節減支援システムが存在しない点である。
【課題を解決するための手段】
【００１１】
本発明の煮炊用ガスエネルギー消費節減支援システムは、台所に配置され煮炊具内に入れた飲食材をガス燃焼により煮炊きするガス器具の上方に配置した第１温度センサと、台所の室内に配置した第２温度センサと、前記第１、第２温度センサの検出温度をガスエネルギー節減指標として表示する温度表示手段と、を有することを最も主要な構成とするものである。
【発明の効果】
【００１２】
請求項１記載の発明によれば、台所に配置され煮炊具内に入れた飲食材をガス燃焼により煮炊きするガス器具の上方に配置した第１温度センサと、台所の室内に配置した第２温度センサとの各検出温度をガスエネルギー節減指標として利用することによって、無駄なガスエネルギーの消費を排し、ガスエネルギー使用量削減を確実に図ることが可能な煮炊用ガスエネルギー消費節減支援システムを提供することができる。
【００１３】
請求項２記載の発明によれば、第１温度センサの配置をガス器具の上方の作業者目線高さ位置とする構成で、前記第１、第２温度センサの検出温度を、前記飲食材の弱火から強火の範囲にわたるガス燃焼状態に応じたガスエネルギー節減指標として利用し、無駄なガスエネルギーの消費を排し、ガスエネルギー使用量削減を確実に図ることが可能な煮炊用ガスエネルギー消費節減支援システムを提供することができる。
【００１４】
請求項３記載の発明によれば、鍋、やかん等の煮炊具を用いた場合で、かつ、第１温度センサの配置を床から１５０ｃｍ程度の位置とする構成で、前記第１、第２温度センサの検出温度を、前記鍋、やかん等の煮炊具内に入れた飲食材の弱火から強火の範囲にわたるガス燃焼状態に応じた弱火の状態を基準とする消費エネルギー比によるガスエネルギー節減指標として利用し、無駄なガスエネルギーの消費を排し、ガスエネルギー使用量削減を確実に図ることが可能な煮炊用ガスエネルギー消費節減支援システムを提供することができる。
【００１５】
請求項４記載の発明によれば、請求項１記載の発明と同様、ガスエネルギー使用量削減を確実に図ることが可能であるとともに、第１温度センサの検出温度が設定温度以上になったとき火災警報を発する警告表示灯及び又は発音部からなる警報発生手段を備えることから、ガス器具による飲食材の煮炊きに伴う火災発生を的確に防止できる警報発生機能付煮炊用ガスエネルギー消費節減支援システムを提供することができる。
【００１６】
請求項５記載の発明によれば、請求項２記載の発明と同様、ガスエネルギー使用量削減を確実に図ることが可能であるとともに、第１温度センサの検出温度が設定温度以上になったとき火災警報を発する警告表示灯及び又は発音部からなる警報発生手段を備えることから、ガス器具による飲食材の煮炊きに伴う火災発生を的確に防止できる警報発生機能付煮炊用ガスエネルギー消費節減支援システムを提供することができる。
【００１７】
請求項６記載の発明によれば、請求項３記載の発明と同様、ガスエネルギー使用量削減を確実に図ることが可能であるとともに、第１温度センサの検出温度が設定温度以上になったとき火災警報を発する警告表示灯及び又は発音部からなる警報発生手段を備えることから、ガス器具による飲食材の煮炊きに伴う火災発生を的確に防止できる警報発生機能付煮炊用ガスエネルギー消費節減支援システムを提供することができる。
【００１８】
請求項７記載の発明によれば、請求項６記載の発明と同様な効果を奏するとともに、制御手段により、前記第１温度センサと第２温度センサとの温度差に応じて煮炊具に対してガス供給するガス配管に設けたガス流路制御弁を制御しガス流量を調整するように構成しているので、適正なガスエネルギー使用状態の基に鍋、やかん等の煮炊具内に入れた飲食材をガス燃焼により煮炊きすることができる。
【発明を実施するための最良の形態】
【００１９】
本発明は、簡略な構成にて台所での煮炊用ガスエネルギー削減を確実に図ることができ、家庭単位での地球規模の環境改善に貢献し得る煮炊用ガスエネルギー消費節減支援システムを提供するという目的を、台所に配置され鍋、やかん等の煮炊具内に入れた飲食材をガス燃焼により煮炊きするガス器具の上方の床から１５０ｃｍ程度の位置の温度を検出する第１温度センサと、台所の室内に配置した第２温度センサと、前記第１、第２温度センサの検出温度を、前記鍋、やかん等の煮炊具内に入れた飲食材の弱火から強火の範囲にわたるガス燃焼状態に応じた弱火の状態を基準とする消費エネルギー比によるガスエネルギー節減指標として表示する温度表示手段と、を有する構成により実現した。
【実施例】
【００２０】
以下に、本発明の実施例に係る煮炊用ガスエネルギー消費節減支援システム及び警報発生機能付煮炊用ガスエネルギー消費節減支援システムについて図面を参照して詳細に説明する。
【００２１】
（実施例１）
図１乃至図４を参照して本発明の実施例１に係る煮炊用ガスエネルギー消費節減支援システム１について説明する。
【００２２】
本願の発明者らは、台所において鍋、やかん等の煮炊具をガス器具上に設置して飲食材を煮炊きする場合におけるガス器具のガス栓の開き方と、煮炊きの立ち上がりと、煮炊き完成までのガスの消費量とを、大鍋と子鍋、大型やかんと小型やかん等で計測して比較してみると、３０パ−セント前後の大きな差があることが判明した。
【００２３】
そして、台所の室温と、ガス器具の上に鍋（なべ）を置いた時の作業者の目線ぐらいの高さのガス器具上部の温度とのガス器具のガス燃焼状態（弱火、中火、強火）に応じた温度変化に着目し、特にガス器具上部の温度を弱火の状態を基準として調節することで、ガスエネルギーの消費削減を実現し得ることを見出した。以下にかかる知見に基づく本実施例１に係る煮炊用ガスエネルギー消費節減支援システム１について図１乃至図４を参照して詳述する。
【００２４】
本実施例１に係る煮炊用ガスエネルギー消費節減支援システム１は、図１に示すように、台所２内のガス台４上に配置され、鍋、やかん等の煮炊具５内に入れた飲食材をガス燃焼により煮炊きするガス器具３の上方で、かつ、台所２の床から作業者目線高さ位置、例えば床から１５０ｃｍ程度の位置の温度を検出する第１温度センサ（温度計）６と、台所２の室内に配置した第２温度センサ（温度計）７と、前記第１温度センサ６、第２温度センサ７の各検出温度及び両者の温度差をガス器具３のガス栓調節によるガスエネルギー節減指標として表示する温度表示手段８と、を有している。前記第１温度センサ６、第２温度センサ７は、測定温度範囲０℃〜１５０℃の機能を有するものを使用している。
【００２５】
前記温度表示手段８は、前記第１温度センサ６、第２温度センサ７の検出信号のデジタル変換処理、及び温度差検出処理を行う信号処理部９と、信号処理部９の処理結果に基づきガス器具上部温度を表示するガス器具上部温度表示部１１、室温を表示する室温表示部１２及び温度差、特にガス器具上部温度表示部１１を前記ガス器具３のガス栓調節によるガスエネルギー節減指標として表示する温度差表示部１３を具備する温度表示部１０と、を有している。
【００２６】
次に、本実施例１に係る煮炊用ガスエネルギー消費節減支援システム１による飲食材の実際の煮炊実験及びその実験結果について、図３、図４を参照して説明する。
【００２７】
この実験は、家庭用のガス器具３において、ガス消費効率の向上を図るための判断の一助となることを目的とし、ガス燃焼時の火力の大小がガス消費量に及ぼす影響について基礎的なデータを取得するために行ったものである。
【００２８】
具体的には、ガス器具（コンロ）３として、図３に示す大火力タイプのものを使用し、また、煮炊具５として底面の直径と容量の異なる２種の鍋及び２種のやかんの合計４種を使用し、各々所定量の水を入れてガス器具３により加熱した。
【００２９】
その際、それぞれの組み合わせにおいて、強火、中火、弱火の３種の火力状態で、常温１０℃から７０℃まで昇温させた時の時間とガス使用量とを計測するとともに、各々の炎の状況を観察した。
【００３０】
また、ガス器具３の上部の床から１５０ｃｍ程度の位置の温度を、第１温度センサ６により測定するとともに、台所２の室温を、ガス器具３の近辺に配置した第２温度センサ７により測定した。
【００３１】
大火力タイプのガス器具（コンロ）３を使用し、鍋（大）、鍋（小）及びやかん（大）、やかん（小）の４種について強火、中火、弱火の３種の火力状況で加熱した場合の合計１２態様を図３に示す。また、この場合の実験結果を図４に示す。
【００３２】
次に、図４に示す実験結果について、炎の状況が鍋又はやかんの底から外方に出るか否かに着目しつつ考察する。
【００３３】
前記鍋、やかんの各種について、弱火の場合のガスの消費エネルギー比を図４に示すように１００％とすると、例えば、図４に示すように、やかん（大）の場合、弱火の場合と強火の場合との前記第１温度センサ６の温度変化は、２５．８℃から２７．８℃と２℃であるのに対して、前記第２温度センサ７の温度変化は、５０．７℃から７０℃以上と約２０℃の差があることが分る。この場合、消費エネルギー比は約３０％も大きいことが分かる。この場合には、水を昇温することに加えて鍋又はやかん周辺の外気をも無駄に加熱してしまうことによる影響が大きいことが理解される。やかん（大）以外の場合も強火の場合も消費エネルギー比が各々２０乃至３０％も大きいことが図４に示す実験結果から分かる。
【００３４】
次に、前記鍋、やかんの各種について、消費エネルギーと必要エネルギーとの比をとり、エネルギー効率で評価すると、炎が底から外に出る場合は約５〜１０％のエネルギー効率の低下が見られ、この場合には、無駄なガスエネルギーを消費していることが分かる。
【００３５】
以上の図４に示す実験結果についての考察から、本実施例１に係る煮炊用ガスエネルギー消費節減支援システム１において、前記第２温度センサ７により測定する台所２の室温と、ガス器具３の上にやかん、鍋を置いた時の作業者の目線ぐらいの高さ（床から１５０ｃｍ程度の位置）の第１温度センサ６により測定するガス器具３上部の温度との差を考慮しつつガス器具３のガス栓を調節しつつ、このガス器具３による飲食物の加熱を行うようにすれば、例えば家庭の主婦等が暗算等の煩雑な作業をすることなくガス器具３の燃焼時の無駄なガスエネルギー消費を排し、ガスエネルギー使用量削減を確実に図ることが可能となる。
【００３６】
日本全国で数千万軒の家庭があり、もし本実施例１に係る煮炊用ガスエネルギー消費節減支援システム１が普及すればＣＯ２の発生を抑える効果は膨大となり、飲食物の煮炊きの際のガスエネルギー消費量の節減による家庭単位での地球規模の環境改善に多大に貢献し得るという顕著な効果を発揮させることができる。
【００３７】
（実施例２）
図５を参照して本発明の実施例２に係る警報発生機能付煮炊用ガスエネルギー消費節減支援システム２１について説明する。
【００３８】
本実施例２の警報発生機能付煮炊用ガスエネルギー消費節減支援システム２１は、基本的構成は実施例１の場合と同様であるが、前記温度表示手段８に替えて温度表示・警報発生装置２２を用いたことが特徴であり、この他の構成は実施例１の場合と同一である。
本実施例２に係る警報発生機能付煮炊用ガスエネルギー消費節減支援システム２１における前記温度表示・警報発生装置２２は、図５に示すように、前記第１温度センサ６、第２温度センサ７の検出信号のデジタル変換処理、及び温度差検出処理を行う信号処理部２３と、火災警報を発生するための設定温度（例えば、台所の環境を考慮した７０℃、８０℃、９０℃等の異なる温度）を入力する温度設定部２４と、温度表示手段２５と、警報発生手段２６と、これら各要素の動作制御を行う制御部２７と、例えば乾電池を用いた前記各要素へ所要の電力供給を行う電源部２８と、を有している。
【００３９】
前記温度表示手段２５は、ガス器具３の上部温度を表示するガス器具上部温度表示部３１、室温を表示する室温表示部３２及び温度差、特にガス器具上部温度表示部３１を前記ガス器具３のガス栓調節によるガスエネルギー節減指標として表示する温度差表示部３３を具備している。
【００４０】
前記警報発生手段２６は、火災警報を点滅等で表示する例えば赤色灯等からなる警告表示灯３４と、警報音（ブザー音等）を発する発音部３５とを具備している。
【００４１】
そして、前記制御部２７により、前記信号処理部２３からの信号に基づき、ガス器具上部温度表示部３１、室温表示部３２及び温度差表示部３３に対する表示制御を行うとともに、前記信号処理部２３からの信号と、温度設定部２４による設定温度とに基づき、警告表示灯３４に対する警告表示制御及び発音部３５に対する警報音発音制御を行うように構成している。
【００４２】
本実施例２の警報発生機能付煮炊用ガスエネルギー消費節減支援システム２１によれば、実施例１の煮炊用ガスエネルギー消費節減支援システム１の場合と同様なガスエネルギーの削減効果を発揮する。
【００４３】
また、前記温度表示・警報発生装置２２に警報発生手段２６を備えているので、前記ガス器具３の上部の空気温度を第１温度センサ６により測定し、鍋、やかん等の煮炊具５の底からの炎の外部漏出による周囲温度の異常上昇を検出して、警告表示、警報音の発音を実行することから、煮炊きを行う作業者への注意速やかに喚起し、火災発生防止を図れるという顕著な効果も発揮する。
【００４４】
（実施例３）
次に、図６、図７を参照して本発明の実施例３に係る警報発生機能付煮炊用ガスエネルギー消費節減支援システム４１について説明する。
【００４５】
本実施例３に係る警報発生機能付煮炊用ガスエネルギー消費節減支援システム４１は、基本的構成は図１に示す構成及び図５に示す実施例２に係る警報発生機能付煮炊用ガスエネルギー消費節減支援システム２１と同様であるため、既述した場合と同一要素には同一符号を付して示す。
【００４６】
本実施例３に係る警報発生機能付煮炊用ガスエネルギー消費節減支援システム４１は、図６に示すように、台所２の前記ガス台４の近辺領域に、第２温度センサ７を配置し、また、台所２の任意の位置（例えば台所２の室内壁など）に、全体の制御を行う制御手段４２、温度表示手段２５及び警報発生手段２６を備える温度表示・警報発生装置２２を配置している。
【００４７】
また、本実施例３に係る警報発生機能付煮炊用ガスエネルギー消費節減支援システム４１は、前記ガス器具３に対してガス供給するガス配管４３に設けたガス流路制御弁４４を備えている。
【００４８】
次に、本実施例３に係る警報発生機能付煮炊用ガスエネルギー消費節減支援システム４１の制御系について、図７をも参照して説明する。
【００４９】
この制御系は、前記第１温度センサ６、第２温度センサ７の検出信号のデジタル変換処理、及び温度差検出処理を行う信号処理部２３と、火災警報を発生するための設定温度（例えば、台所の環境を考慮した７０℃、８０℃、９０℃等の異なる温度）及びガス器具上部温度の設定値（例えば、弱火煮炊に相当する３５℃、４０℃、４５℃、５０℃、５５℃等）を入力する温度設定部４５と、各要素の動作制御を行う制御部２７と、例えば乾電池を用いた前記各要素へ所要の電力供給を行う電源部２８と、前記ガス流路制御弁４４を制御しガス流量を調整するガス流量コントローラ４６とにより前記制御手段４２を構成している。
【００５０】
本実施例３の警報発生機能付煮炊用ガスエネルギー消費節減支援システム４１によれば、実施例２の警報発生機能付煮炊用ガスエネルギー消費節減支援システム１の場合と同様なガスエネルギーの削減効果、火災発生防止効果を発揮する。
【００５１】
また、本実施例３の警報発生機能付煮炊用ガスエネルギー消費節減支援システム４１によれば、前記第１温度センサ６、第２温度センサ７の検出温度、前記温度設定部４５による設定温度を基にガス流量コントローラ４６に前記ガス流路制御弁４４を制御しガス流量を調整するように構成しているので、適正なガスエネルギー使用状態の基に鍋、やかん等の煮炊具５内に入れた飲食材をガス燃焼により煮炊きすることができる。
【産業上の利用可能性】
【００５２】
本発明は、ガス消費量の節減による家庭単位での地球規模の環境改善に大きく貢献し得ることもちろんのこと、レストラン、各種飲食店やホテル等の厨房においてガス器具を使用した調理を行う場合にも応用可能であり、より大規模に地球規模の環境改善に大きく貢献し得るシステムとして利用できる。
【図面の簡単な説明】
【００５３】
【図１】本発明の実施例１に係る煮炊用ガスエネルギー消費節減支援システムの概略配置構成図である。
【図２】本実施例１に係る煮炊用ガスエネルギー消費節減支援システムの第１、第２温度センサ及び温度表示手段のブロック図である。
【図３】本実施例１に係る大火力タイプのガス器具により鍋（大）、鍋（小）及びやかん（大）、やかん（小）の４種について強火、中火、弱火の３種の火力状況で加熱実験した態様を示す図である。
【図４】図５の加熱実験の結果を示す一覧表である。
【図５】本発明の実施例２に係る警報発生機能付煮炊用ガスエネルギー消費節減支援システムの第１、第２温度センサ及び温度表示・警報発生装置を示すブロック図である。
【図６】本発明の実施例３に係る煮炊用ガスエネルギー消費節減支援システムの概略配置構成図である。
【図７】本発明の実施例３に係る煮炊用ガスエネルギー消費節減支援システムの構成を示すブロック図である。
【符号の説明】
【００５４】
１  煮炊用ガスエネルギー消費節減支援システム
２  台所
３  ガス器具
４  ガス台
５  煮炊具
６  第１温度センサ
７  第２温度センサ
８  温度表示手段
９  信号処理部
１０  温度表示部
１１  ガス器具上部温度表示部
１２  室温表示部
１３  温度差表示部
２１  警報発生機能付煮炊用ガスエネルギー消費節減支援システム
２２  温度表示・警報発生装置
２３  信号処理部
２４  温度設定部
２５  温度表示手段
２６  警報発生手段
２７  制御部
２８  電源部
３１  ガス器具上部温度表示部
３２  室温表示部
３３  温度差表示部
３４  警告表示灯
３５  発音部
４１  警報発生機能付煮炊用ガスエネルギー消費節減支援システム
４２  制御手段
４３  ガス配管
４４  ガス流路制御弁
４５  温度設定部
４６  ガス流量コントローラ
【図１】
2009036419.tif 000003
【図２】
2009036419.tif 000004
【図３】
2009036419.tif 000005
【図４】
2009036419.tif 000006
【図５】
2009036419.tif 000007
【図６】
2009036419.tif 000008
【図７】
2009036419.tif 000009